(57)【要約】      （修正有）【課題】紡績用ローラーに対して収集・保護を行う他に、紡績用ローラーを順序よく並べることもできる新型紡績用ローラーの転送装置を提供する。【解決手段】新型紡績用ローラーの転送装置であって、傾斜板１と、コンベヤーベルト３と、止め板８及び収集ボックス９を備え、傾斜板１の左右両端に固定フレーム２が対称に溶接固定され、傾斜板１と地面の夾角は３０度となり、傾斜板１の下側にコンベヤーベルト３が設置され、コンベヤーベルト３の内壁にコンベヤーベルト３を伝送させるための２つの伝送ホイールが設置され、左側の伝送ホイールは回転モータの出力軸と回転接続され、伝送ホイールと回転モータの下端に何れも支持フレームが溶接固定され、コンベヤーベルト３の上方に止め板８が設置され、止め板８が傾斜板１から離れている片側は縦柱７の側面と溶接固定され、２組の縦柱７は止め板８の側面に並置される。【選択図】図１
0003234415.tif 000002
【実用新案登録請求の範囲】
【請求項１】
新型紡績用ローラーの転送装置であって、それは傾斜板（１）と、コンベヤーベルト（３）と、止め板（８）及び収集ボックス（９）を備え、
前記傾斜板（１）の左右両端に固定フレーム（２）が対称に溶接固定され、また、傾斜板（１）と地面の夾角は30度となり、前記傾斜板（１）の下側にコンベヤーベルト（３）が設置され、前記コンベヤーベルト（３）の内壁にコンベヤーベルト（３）を伝送させるための２つの伝送ホイール（４）が設置され、また、左側の前記伝送ホイール（４）は回転モータ（５）の出力軸と回転接続され、前記伝送ホイール（４）と回転モータ（５）の下端に何れも支持フレーム（６）が溶接固定され、前記コンベヤーベルト（３）の上方に止め板（８）が設置され、前記止め板（８）が傾斜板（１）から離れている片側は縦柱（７）の側面と溶接固定され、また、２組の縦柱（７）は止め板（８）の側面に並置され、前記止め板（８）が傾斜板（１）に近い片側はゴム板の片側と接着剤を介して接合固定され、前記コンベヤーベルト（３）の左側に収集ボックス（９）が設置され、前記収集ボックス（９）の左側にストッパー装置（１０）が設置され、前記収集ボックス（９）の後側に回転装置（１１）が設置され、
前記収集ボックス（９）は、先端に開口を設けた長方形のボックスに設けられ、前記収集ボックス（９）の内側の底面の上端はU状板（１３）の側面と接着剤を介して接合固定され、また、2列のU状板（１３）は収集ボックス（９）の底側面に対称配置され、2列の対称配置されたU状板（１３）の間に位置制限板（１２）が嵌合され、前記位置制限板（１２）の上端は第一磁石ブロック（１４）の下端と接着剤を介して接合固定され、前記回転装置（１１）はサーボモータ（１５）と回転軸（１６）を備え、前記サーボモータ（１５）の下端にも支持フレーム（６）が溶接固定され、前記サーボモータ（１５）の出力軸が伸ばしている一端は回転軸（１６）の円形側面と溶接固定され、前記回転軸（１６）の曲面の側面の外周に引きテープ（１７）が巻かれ、前記引きテープ（１７）の下端は長方形の形に配列された第二磁石ブロック（１８）の上端と接着剤を介して接合固定されることを特徴とする新型紡績用ローラーの転送装置。
【請求項２】
前記ストッパー装置（１０）は第一固定板（１９）と、圧縮バネ（２０）と第二固定板（２１）を備え、前記第一固定板（１９）と第二固定板（２１）の間に圧縮バネ（２０）が溶接固定され、複数組の前記圧縮バネ（２０）は第一固定板（１９）と第二固定板（２０）の間に長方形の形に配列され、且つ第二固定板（２１）がコンベヤーベルト（３）に近い片側はゴム板の側面と接着剤を介して接合固定されることを特徴とする請求項１に記載の新型紡績用ローラーの転送装置。
【請求項３】
前記コンベヤーベルト（３）の外側の曲面は、第一シリカゲル板（２２）及び第二シリカゲル板（２３）の長方形底面と接着剤を介して接合固定され、前記第一シリカゲル板（２２）及び第二シリカゲル板（２３）の形は何れも三角柱に設置され、また、複数組の第一シリカゲル板（２２）及び複数組の第二シリカゲル板（２３）は何れもコンベヤーベルト（３）の外側の曲面に長方形の形に配列され、第一シリカゲル板（２２）及び第二シリカゲル板（２３）はコンベヤーベルトの外側の曲面に対称設置されることを特徴とする請求項１に記載の新型紡績用ローラーの転送装置。
【請求項４】
前記縦柱（７）の側面に蓄電池（２４）及び制御スイッチ（２５）が取り付けられ、前記制御スイッチ（２５）は回転モータ（５）及びサーボモータ（１５）と電気的に接続されされることを特徴とする請求項１に記載の新型紡績用ローラーの転送装置。
【考案の詳細な説明】
【技術分野】
【０００１】
本考案は紡績機械加工部品の分野に関し、具体的は新型紡績用ローラーの転送装置に関する。
【背景技術】
【０００２】
ローラーとは、回転させて使う円筒形のもののこと。紡績用ローラーは紡績機械加工部品として、紡績機械が運転している時、設備の運転を動かして、設備の安定性を確保することに用いられている。
【０００３】
例えば、中国特許文献CN201520955581.4で公開された紡績用ローラーの転送装置には、ベースを備え、前記ベースに転送板が設置され、前記転送板の表面に、1組の転送溝が設置され、前記転送板の一端はベースとヒンジ接続され、もう一端の底部に、一組の昇降シリンダーが設置され、前記転送板とベースのヒンジ接続部に、コンベヤーベルトが設置され、前記コンベヤーベルトが転送板から離れている片側に、ストッパーが固設される。前記の紡績用ローラーの転送装置は、構造がシンプルで、デザインもよく、それによって紡績用ローラーを収集することができるが、その不足は収集した紡績用ローラーを並べることができないため、きちんと収集しても、並べる時、時間を無駄にして、仕事の効率を下げて、従業員の負担を増やす。上記現状に対して、新型紡績用ローラーの転送装置を設計・製造し、実際な使用ニーズを満足するする必要がある。
【考案の概要】
【考案が解決しようとする課題】
【０００４】
上記の課題を解決するために、本考案は、新型紡績用ローラーの転送装置を提供するのを目的とする。
【課題を解決するための手段】
【０００５】
以上の目的を実現するために、本考案の使用する技術的な解決方案は以下の通りである。新型紡績用ローラーの転送装置であって、それは傾斜板と、コンベヤーベルトと、止め板及び収集ボックスを備え、前記傾斜板の左右両端に固定フレームが対称に溶接固定され、また、傾斜板と地面の夾角は30度となり、前記傾斜板の下側にコンベヤーベルトが設置され、前記コンベヤーベルトの内壁にコンベヤーベルトを伝送させるための２つの伝送ホイールが設置され、また、左側の前記伝送ホイールは回転モータの出力軸と回転接続され、前記伝送ホイールと回転モータの下端に何れも支持フレームが溶接固定され、前記コンベヤーベルトの上方に止め板が設置され、前記止め板が傾斜板から離れている片側は縦柱の側面と溶接固定され、また、２組の縦柱は止め板の側面に並置され、前記止め板が傾斜板に近い片側はゴム板の片側と接着剤を介して接合固定され、前記コンベヤーベルトの左側に収集ボックスが設置され、前記収集ボックスの左側にストッパー装置が設置され、前記収集ボックスの後側に回転装置が設置される。
【０００６】
前記収集ボックスは、先端に開口を設けた長方形のボックスに設けられ、前記収集ボックスの内側の底面の上端はU状板の側面と接着剤を介して接合固定され、また、2列のU状板は収集ボックスの底側面に対称配置され、2列の対称配置されたU状板の間に位置制限板が嵌合され、前記位置制限板の上端は第一磁石ブロックの下端と接着剤を介して接合固定され、前記回転装置はサーボモータと回転軸を備え、前記サーボモータの下端にも支持フレームが溶接固定され、前記サーボモータの出力軸が伸ばしている一端は回転軸の円形側面と溶接固定され、前記回転軸の曲面の側面の外周に引きテープが巻かれ、前記引きテープの下端は長方形の形に配列された第二磁石ブロックの上端と接着剤を介して接合固定される。
【０００７】
好ましくは、前記ストッパー装置は第一固定板と、圧縮バネと第二固定板を備え、前記第一固定板と第二固定板の間に圧縮バネが溶接固定され、複数組の前記圧縮バネは第一固定板と第二固定板の間に長方形の形に配列され、且つ第二固定板がコンベヤーベルトに近い片側はゴム板の側面と接着剤を介して接合固定される。
【０００８】
好ましくは、前記コンベヤーベルトの外側の曲面は、第一シリカゲル板及び第二シリカゲル板の長方形底面と接着剤を介して接合固定され、前記第一シリカゲル板及び第二シリカゲル板の形は何れも三角柱に設置され、また、複数組の第一シリカゲル板及び複数組の第二シリカゲル板は何れもコンベヤーベルトの外側の曲面に長方形の形に配列され、第一シリカゲル板及び第二シリカゲル板はコンベヤーベルトの外側の曲面に対称設置される。
【０００９】
好ましくは、前記縦柱の側面に蓄電池及び制御スイッチが取り付けられ、前記制御スイッチは回転モータ及びサーボモータと電気的に接続されされる。
【考案の効果】
【００１０】
本考案の有益な効果は以下の通りである。該新型紡績用ローラーの転送装置には、第一シリカゲル板及び第二シリカゲル板を追加することで、落ちた紡績用ローラーを緩衝・制振して、紡績用ローラー保護することができる他に、第一シリカゲル板及び第二シリカゲル板の形は何れも三角柱状に設置されたので、コンベヤーベルトに落ちた紡績用ローラーは第一シリカゲル板と第二シリカゲル板の間に転がり、方向が調整して、収集ボックスにより紡績用ローラーを収集する。ストッパー装置により紡績用ローラーに対して位置制限するだけではなく、緩衝保護するのも可能になる。第一磁石ブロックと第二磁石ブロックの吸引力により引きテープを開かせて、その上に落ちた紡績用ローラーが引きテープにしたがって位置制限板と収集板の側板の間に形成した凹溝に落ちて、落ちた速度によりサーボモータの回転速度を調整し、紡績用ローラーを収集ボックスの内に、縦の順に並べさせて、従業員の負担を大いに下げる。該新型紡績用ローラーの転送装置により、紡績用ローラーに対して収集・保護を行う他に、紡績用ローラーを順序よく並べることもできるため、従業員の負担を大いに下げる。
【図面の簡単な説明】
【００１１】
【図１】本考案の平面図である。
【図２】本考案の正面図である。
【図３】本考案の転送装置の背面図である。
【考案を実施するための形態】
【００１２】
以下、本考案の実施例における図面と合わせて、本考案の実施例における技術手段について具体的に説明する。もちろん、本明細書に説明した実施例は本考案の実施例の一部に過ぎなく、全部の実施例ではない。本考案の実施例に基づき、本技術分野の当業者は、創造的な労働を作らない限り、得られた他の実施形態のすべては本考案の保護範囲に属する。
【００１３】
別に定義して指摘する方向の以外、本考案に関わった上、下、左、右等の方向は何れも本考案の図1−3に示す上、、下、左、右に準じる、ここで特に強調する。
【００１４】
本考案は、図1−3に示すように、本考案は新型紡績用ローラーの転送装置を提供し、それは傾斜板1と、コンベヤーベルト3と、止め板8及び収集ボックス9を備え、前記傾斜板１の左右両端に固定フレーム２が対称に溶接固定され、また、傾斜板１と地面の夾角は30度となり、紡績用ローラーが転がって落ちやすくなる。前記傾斜板１の下側にコンベヤーベルト３が設置され、前記コンベヤーベルト３の内壁にコンベヤーベルト３を伝送させるための２つの伝送ホイール４が設置され、また、左側の前記伝送ホイール４は回転モータ５の出力軸と回転接続され、前記伝送ホイール４と回転モータ５の下端に何れも支持フレーム６が溶接固定され、前記コンベヤーベルト３の上方に止め板８が設置され、止め板８により落ちた紡績用ローラーがコンベヤーベルト３以外の所へ落ちる状況を避ける。前記止め板８が傾斜板１から離れている片側は縦柱７の側面と溶接固定され、また、２組の縦柱７は止め板８の側面に並置され、前記止め板８が傾斜板に近い片側はゴム板の片側と接着剤を介して接合固定され、前記コンベヤーベルト３の左側に収集ボックス９が設置され、前記収集ボックス９の左側にストッパー装置１０が設置され、前記収集ボックス９の後側に回転装置１１が設置される。
【００１５】
前記収集ボックス９は、先端に開口を設けた長方形のボックスに設けられ、前記収集ボックス９の内側の底面の上端はU状板１３の側面と接着剤を介して接合固定され、また、2列のU状板１３は収集ボックス９の底側面に対称配置され、2列の対称配置されたU状板１３の間に位置制限板１２が嵌合され、位置制限板１２により位置を制限することができると共に、実際状況によって位置制限板１２を抽出することもできる。前記位置制限板１２の上端は第一磁石ブロック１４の下端と接着剤を介して接合固定され、前記回転装置１１はサーボモータ１５と回転軸１６を備え、前記サーボモータ１５の下端にも支持フレーム６が溶接固定され、前記サーボモータ１５の出力軸が伸ばしている一端は回転軸１６の円形側面と溶接固定され、前記回転軸１６の曲面の側面の外周に引きテープ１７が巻かれ、前記引きテープ１７の下端は長方形の形に配列された第二磁石ブロック１８の上端と接着剤を介して接合固定され、第一磁石ブロック１４と第二磁石ブロック１８の吸引力により引きテープ17を開かせて、その上に落ちた紡績用ローラーが傾斜角度によって、位置制限板12と収集板9の側板の間に形成した凹溝に落ちる。
【００１６】
具体的は、前記ストッパー装置１０は第一固定板19と、圧縮バネ20と第二固定板21を備え、前記第一固定板19と第二固定板21の間に圧縮バネ20が溶接固定され、紡績用ローラーが落ちた際、ストッパー装置１０に突き当たると、ストッパー装置１０により緩衝・保護することができる。複数組の前記圧縮バネ２０は第一固定板19と第二固定板21の間に長方形の形に配列され、且つ第二固定板21がコンベヤーベルト3に近い片側はゴム板の側面と接着剤を介して接合固定される。
【００１７】
具体的は、前記コンベヤーベルト3の外側の曲面は、第一シリカゲル板22及び第二シリカゲル板23の長方形底面と接着剤を介して接合固定され、前記第一シリカゲル板及び第二シリカゲル板の形は
【符号の説明】
【００１８】
1、傾斜板；2、固定フレーム；3、コンベヤーベルト；4、伝送ホイール；5、回転モータ；6、支持フレーム；7、縦柱；8、止め板；9、収集ボックス；10、ストッパー装置；11、回転装置；12、位置制限板；13、U状板；14、第一磁石ブロック；15、サーボモータ；16、回転軸；17、引きテープ；18、第二磁石ブロック；19、第一固定板；20、圧縮バネ；21、第二固定板；22、第一シリカゲル板；23、第二シリカゲル板；24、蓄電池；25、制御スイッチ
【図１】
0003234415.tif 000003
【図２】
0003234415.tif 000004
【図３】
0003234415.tif 000005